(57)【要約】【課題】  適応変調符号化（Ａｄａｐｔｉｖｅ  Ｍｏｄｕｌａｔｉｏｎ  ａｎｄ  Ｃｏｄｉｎｇ；ＡＭＣ）と、伝送ダイバーシティ（Ｔｒａｎｓｍｉｔ  Ｄｉｖｅｒｓｉｔｙ；ＴＤ）とを組み合わせた無線送受信システムを提供しようとする。【解決手段】  送信者側により設定されたＭＣＳ（Ｍｏｄｕｌａｔｉｏｎ  ａｎｄ  Ｃｏｄｉｎｇ  Ｓｃｈｅｍｅ）及びＴＤ（Ｔｒａｎｓｍｉｔ  Ｄｉｖｅｒｓｉｔｙ）技法により、受信された信号を処理して元の情報ビットを復元する受信部１９０と、該受信部１９０の受信チャンネルを周期的にチェックして最適のＭＣＳレベルを設定するＭＣＳ設定部２００と、該設定されたＭＣＳレベルの符号化技法及び変調技法により情報ビットを処理し、ＴＤ伝送を行う送信部１８０と、を包含して無線送受信システムを構成する。【選択図】  図１
2004248275.tif 000002
【特許請求の範囲】
【請求項１】
送信者側により設定されたＭＣＳ（Ｍｏｄｕｌａｔｉｏｎ  ａｎｄ  Ｃｏｄｉｎｇ  Ｓｃｈｅｍｅ）及びＴＤ（Ｔｒａｎｓｍｉｔ  Ｄｉｖｅｒｓｉｔｙ）技法により、受信された信号を処理して元の情報ビットを復元する受信部と、
該受信部の受信チャンネルを周期的にチェックして最適のＭＣＳレベルを設定するＭＣＳ設定部と、
該設定されたＭＣＳレベルの符号化技法及び変調技法により情報ビットを処理し、ＴＤ伝送を行う送信部と、
を包含して構成されることを特徴とする無線送受信システム。
【請求項２】
前記送信部は、
情報ビットを、設定された符号化技法により符号化する第１符号化部と、
前記符号化された信号を、設定された変調技法によりインターリービング及び変調する変調部と、
前記変調された信号を、前記ＴＤ技法により符号化した後、複数の伝送アンテナに信号送出を行う第２符号化部と、
から構成されることを特徴とする請求項１記載の無線送受信システム。
【請求項３】
前記変調部は、
前記符号化された信号を、設定された変調技法によりインターリービングするチャンネルインターリービング部と、
該チャンネルインターリービング部の出力信号を、設定された変調技法により星座マッピング（Ｃｏｎｓｔｅｌｌａｔｉｏｎ  Ｍａｐｐｉｎｇ）するマッピング部と、
該マッピングされた信号をウォルシュコード（Ｗａｌｓｈ  ｃｏｄｅ）ブロックに変換するウォルシュ変調部と、
前記変換された信号をスクランブルするスクランブル部と、
から構成されることを特徴とする請求項２記載の無線送受信システム。
【請求項４】
前記ＴＤ伝送は、
ＳＴＴＤ（Ｓｐａｃｅ  Ｔｉｍｅ  Ｔｒａｎｓｍｉｔ  Ｄｉｖｅｒｓｉｔｙ）技法の伝送であることを特徴とする請求項１記載の無線送受信システム。
【請求項５】
前記ＭＣＳ設定部は、
全ての受信チャンネルに対し、最適のＭＣＳを設定することを特徴とする請求項４記載の無線送受信システム。
【請求項６】
前記ＴＤ伝送は、
ＳＴＤ（Ｓｅｌｅｃｔｉｎｇ  Ｔｒａｎｓｍｉｔ  Ｄｉｖｅｒｓｉｔｙ）技法の伝送であることを特徴とする請求項１記載の無線送受信システム。
【請求項７】
前記受信部は、
受信アンテナに収集されたダイバーシティ信号を、ＴＤ技法により復号化し、チャンネル補償を行う第１復号化部と、
該第１復号化部の出力信号を復調する復調部と、
該復調された信号をマップ復号化して元の情報ビットを復元する第２復号化部と、
から構成されることを特徴とする請求項１記載の無線送受信システム。
【請求項８】
前記復調部は、
前記第１復号化部の出力信号をデスクランブルするデスクランブル部と、
該デスクランブルされた信号を復調するウォルシュ復調部と、
該復調された信号があるシンボル領域のものであるかを判定するソフト決定部と、
該ソフト決定部の出力信号をディインターリービングするチャンネルディインターリービング部と、
から構成されることを特徴とする請求項７記載の無線送受信システム。
【請求項９】
前記復調部は、
送信者側の変調部に対応して動作されることを特徴とする請求項７記載の無線送受信システム。
【請求項１０】
前記第２復号化部は、
送信者側の第１符号化部に対応して動作されることを特徴とする請求項７記載の無線送受信システム。
【請求項１１】
前記ＭＣＳ設定部は、
前記第１復号化部により感知された受信チャンネルの状態を周期的にチェックするチャンネル情報抽出部と、
該チェックされたチャンネルの状態に基づいて、最適のＭＣＳレベルを設定する選択部と、
から構成されることを特徴とする請求項１記載の無線送受信システム。
【請求項１２】
前記選択部は、
設定されたＭＣＳレベルに係る情報を、前記第１符号化部及び変調部にそれぞれ提供することを特徴とする請求項１１記載の無線送受信システム。
【請求項１３】
受信チャンネルの状態を周期的にチェックして最適のＭＣＳレベルを設定する過程と、
該設定されたＭＣＳレベルの符号化技法及び変調技法により情報ビットを処理し、該処理された信号を既設定されたＴＤ技法により伝送する過程と、
を順次行うことを特徴とする無線通信方法。
【請求項１４】
送信者側により設定されたＭＳＣ及びＴＤ技法により、受信された信号を処理して元の情報ビットを復元する過程が更に包含されることを特徴とする請求項１３記載の無線通信方法。
【請求項１５】
前記信号伝送過程は、
前記設定されたＭＣＳレベルの符号化技法により、情報ビットを符号化する過程と、
前記符号化された信号を、設定されたＭＣＳレベルの変調技法によりインターリービング及び変調する過程と、
前記変調された信号を、既設定されたＴＤ技法により符号化した後、複数の伝送アンテナに信号送出を行う過程と、
を順次行うことを特徴とする請求項１３記載の無線通信方法。
【請求項１６】
前記変調過程は、
前記符号化された信号を、設定されたＭＣＳレベルの変調技法によりインターリービングする過程と、
前記インターリービングされた信号を、設定されたＭＣＳレベルの変調技法により星座マッピングする過程と、
該マッピングされた信号をウォルシュコードブロックに変換する過程と、
該変換された信号をスクランブルする過程と、
を順次行うことを特徴とする請求項１５記載の無線通信方法。
【請求項１７】
前記ＴＤ技法は、
ＳＴＴＤ（Ｓｐａｃｅ  Ｔｉｍｅ  Ｔｒａｎｓｍｉｔ  Ｄｉｖｅｒｓｉｔｙ）技法であることを特徴とする請求項１３記載の無線通信方法。
【請求項１８】
前記ＴＤ技法は、
ＳＴＤ（Ｓｅｌｅｃｔｉｎｇ  Ｔｒａｎｓｍｉｔ  Ｄｉｖｅｒｓｉｔｙ）技法であることを特徴とする請求項１３記載の無線通信方法。
【請求項１９】
前記信号復元過程は、
受信アンテナに収集されたダイバーシティ信号を、送信者側により設定されたＴＤ技法により復号化し、チャンネル補償を行う過程と、
該補償された信号を復調する過程と、
該復調された信号をマップ復号化して元の情報ビットを復元する過程と、
を順次行うことを特徴とする請求項１４記載の無線通信方法。
【請求項２０】
前記復調過程は、
前記補償された信号をデスクランブルする過程と、
該デスクランブルされた信号をウォルシュ復調する過程と、
該復調された信号があるシンボル領域のものであるかを判定する過程と、
該判定された信号をディインターリービングする過程と、
を順次行うことを特徴とする請求項１９記載の無線通信方法。
【請求項２１】
前記復調過程は、
送信者側により設定された変調技法に対応して行われることを特徴とする請求項１９記載の無線通信方法。
【請求項２２】
前記マップ復号化は、
送信者側により設定された符号化技法に対応して行われることを特徴とする請求項１９記載の無線通信方法。
【発明の詳細な説明】
【技術分野】
【０００１】
本発明は、無線送受信システムに係るもので、詳しくは、適応変調符号化（Ａｄａｐｔｉｖｅ  Ｍｏｄｕｌａｔｉｏｎ  ａｎｄ  Ｃｏｄｉｎｇ；以下、ＡＭＣと略称す）と伝送ダイバーシティ（Ｔｒａｎｓｍｉｔ  Ｄｉｖｅｒｓｉｔｙ；以下、ＴＤと略称す）とを組み合わせた無線送受信システムに関するものである。
【背景技術】
【０００２】
最近、移動通信技術及び端末の製造技術の飛躍的な発展に伴い、低速伝送率基盤で文字や音声データを伝送した低速データ伝送中心の無線通信環境から、マルチメディアデータを伝送する高速データ伝送中心の無線環境に漸次変化している。
【０００３】
一般に、受信信号の品質は、基地局と端末間の距離によって異なるので、システムの性能を増加させるためには、ユーザ（端末）の位置及びチャンネル環境により伝送された信号を調節するリンクアダプテーション（Ｌｉｎｋ  Ａｄａｐｔａｔｉｏｎ）を行うべきであって、該リンクアダプテーションには、ＦＰＣ（Ｆａｓｔ  Ｐｏｗｅｒ  Ｃｏｎｔｒｏｌ）技法とＡＭＣ（Ａｄａｐｔｉｖｅ  Ｍｏｄｕｌａｔｉｏｎ  ａｎｄ  Ｃｏｄｉｎｇ）技法とがある。
【０００４】
（１）、このようなＦＰＣ技法は、基地局から近い端末機には弱い信号を伝送し、遠くの端末機には強い信号を伝送することで、基地局と端末間の距離に関係なく各端末に対するサービス品質を一定に維持させるもので、最悪のチャンネルに用いる変調技法及びコード率が固定されるため伝送率が低下される。且つ、単一のアンテナを用いる場合、多様な信号の経路によりフェーディングが発生し、そのフェーディングにより、信号対雑音比（Ｓｉｇｎａｌ  ｔｏ  Ｎｏｉｓｅ  Ｒａｔｉｏ；以下、ＳＮ比と略称す）が急激に悪化する「Ｎｕｌｌ状態」が発生する憂いがあり、このようなＮｕｌｌ状態は、平均伝送率が低下する原因となる。
【０００５】
また、前記したように、変調技法及びコード率を固定し、単一のアンテナを利用する伝送方式は、一定の伝送品質を必要とする無線環境に適用され、変調技法及びコード率をチャンネルの平均的チャンネル環境または最悪のチャンネル環境に固定させるため伝送率が低く、高速データ伝送には適合しない。
【０００６】
（２）、前記ＡＭＣ技法は、低い伝送率を改善して高速データ伝送を実現する伝送技法であり、チャンネルの環境に適合するように変調技法及びコード率を変化させることで伝送量を増加し得る技法であって、チャンネルの環境が良いとき、高い次数の変調技法及び高いコード率で信号伝送を行い、チャンネルの環境が悪いときは、低い次数の変調技法及び低いコード率で信号伝送を行うことで、結果的に、チャンネル環境の良いユーザに高速伝送サービスを提供し、セルの平均伝送効率を増加させる。
【０００７】
【表１】
2004248275.tif 000003
前記ＡＭＣ技法は、チャンネル予測（Ｅｓｔｉｍａｔｉｏｎ）により適切なＭＣＳレベルを決定し、該決定されたＭＣＳレベルの符号化技法及び変調技法をシステムに適用する。即ち、受信チャンネルのＳ／Ｎ比が３ｄＢ以下であると、前記表に示したように、ＭＣＳレベルは１に設定され、１／３コード率の符号化技法及びＱＰＳＫの変調技法がシステムに適用される。且つ、受信チャンネルのＳ／Ｎ比が１１ｄＢ以上であると、ＭＣＳレベルは４に設定され、２／３コード率の符号化技法及び１６ＱＡＭの変調技法がシステムに適用される。
【０００８】
即ち、チャンネル状態が悪いほど低いレベルのＭＣＳが優秀で、チャンネル状態が良いほど高いレベルのＭＣＳが優秀な性能を有するようになる。
【０００９】
一般に、各ＭＣＳレベルに適用されるＳ／Ｎ比は、実験により得られた数値を適用することが好ましい（前記表のＳ／Ｎ比の値は、説明の便宜上、任意に決めたものである）。
【００１０】
また、前記ＡＭＣ技法の採用において、チャンネル予測は非常に重要である。即ち、誤ったチャンネル予測により、「悪い」と判定（Ｅｓｔｉｍａｔｅ）すべきチャンネル環境が「良い」と判定されると、基地局は高い次数の変調技法及び高いコード率で信号伝送を行うようになり、前記ＡＭＣ技法は、大きなデータ損失を引き起こすようになる。
【００１１】
また、前記ＴＤ技法は、複数の伝送アンテナを用いることで、Ｎｕｌｌ状態を減らし、伝送量を増加させるダイバーシティ技法の一つであって、受信には一つのアンテナを、送信には複数のアンテナを用いる技法である。このようなＴＤ技法は、基地局には二つ以上のアンテナを利用して信号伝送を行わせ、端末には一つのアンテナを利用して信号受信を行わせることで、端末の負担を減らし、Ｎｕｌｌ状態の発生を抑制する。
【００１２】
且つ、このようなＴＤ技法は、開ループ方式と閉ループ方式とに分類されるが、開ループ方式のＴＤ技法は、ＳＴＴＤ（Ｓｐａｃｅ  Ｔｉｍｅ  Ｔｒａｎｓｍｉｔ  Ｄｉｖｅｒｓｉｔｙ）を考慮して、複数のアンテナ中二つ以上のアンテナに信号を伝送し、閉ループ方式のＴＤ技法は、ＳＴＤ（Ｓｅｌｅｃｔｉｎｇ  Ｔｒａｎｓｍｉｔ  Ｄｉｖｅｒｓｉｔｙ）を考慮して、複数のアンテナ中チャンネル環境の良い一つのアンテナを選択して信号を伝送する。
【００１３】
以下、従来のＴＤ技法基盤の無線送受信システムに対し、図４に基づいて説明する。
【００１４】
図４は、従来のＴＤ技法基盤の無線送受信システムを示した概略ブロック図で、図示されたように、従来のＴＤ技法基盤の無線送受信システムは、複数のアンテナが具備された送信部７０と、一つのアンテナが具備された受信部８０と、を包含して構成されている。
【００１５】
まず、前記送信部７０は、入力された情報ビット（Ｉｎｆｏｒｍａｔｉｏｎ  Ｂｉｔｓ）を符号化部１０により符号化した後、変調部２０に伝達し、該変調部２０は、前記符号化された信号を変調し、該変調された信号がＴＤ−符号化部３０に伝達されて、ＴＤ技法（ＳＴＴＤまたはＳＴＤ）によりもう一回の符号化過程を経た後、複数のアンテナＴｘＡｎｔ１〜ＴｘＡｎｔＮを通して空中に送出される。
【００１６】
このとき、前記ＴＤ−符号化部３０により符号化された信号は、前記ＳＴＴＤの場合、前記複数のアンテナＴｘＡｎｔ１〜ＴｘＡｎｔＮ中二つのアンテナを通して空中に送出され、前記ＳＴＤの場合、前記複数のアンテナＴｘＡｎｔ１〜ＴｘＡｎｔＮ中チャンネル環境の良い一つのアンテナを通して空中に送出される。
【００１７】
また、前記受信部８０は、受信アンテナＲｘ  Ａｎｔに収集された信号をＴＤ−復号化部４０に伝送して、ＴＤ技法（ＳＴＴＤまたはＳＴＤ）により復号化し、チャンネル補償を行う。次いで、前記ＴＤ−復号化部４０により処理された信号は、復調部５０に伝送されて復調された後復号化部６０に伝送され、該復号化部６０により復号化されて情報ビットに復元される。
【発明の開示】
【発明が解決しようとする課題】
【００１８】
然るに、このような従来のＴＤ基盤の無線送受信システムにおいては、チャンネル予測が正確でなければ所定水準の性能を期待し得ず、チャンネル環境に多くの影響を受けるという不都合な点があった。
【００１９】
また、ＴＤ方式の無線送受信システムと構造的側面において特別な差がないため図示しなかったが、ＡＭＣ方式の無線送受信システムにおいても、チャンネル予測を誤った場合、大きなデータ損失を引き起こすという不都合な点があった。
【００２０】
本発明は、このような従来の課題に鑑みてなされたもので、ＡＭＣ技法とＴＤ技法とを組み合わせて、チャンネル環境の変化によって、システムのＭＣＳ（Ｍｏｄｕｌａｔｉｏｎ  ａｎｄ  Ｃｏｄｉｎｇ  Ｓｃｈｅｍｅ）を可変し得る無線送受信システム及びその方法を提供することにある。
【課題を解決するための手段】
【００２１】
このような目的を達成するため、本発明に係る無線送受信システムにおいては、送信者側により設定されたＭＣＳ（Ｍｏｄｕｌａｔｉｏｎ  ａｎｄ  Ｃｏｄｉｎｇ  Ｓｃｈｅｍｅ）及びＴＤ（Ｔｒａｎｓｍｉｔ  Ｄｉｖｅｒｓｉｔｙ）技法により、受信された信号を処理して元の情報ビットを復元する受信部と、該受信部の受信チャンネルを周期的にチェックして最適のＭＣＳレベルを設定するＭＣＳ設定部と、該設定されたＭＣＳレベルの符号化技法及び変調技法により情報ビットを処理し、ＴＤ伝送を行う送信部と、を包含して構成されることを特徴とする。
【００２２】
また、前記送信部は、情報ビットを、設定された符号化技法により符号化する第１符号化部と、前記符号化された信号を、設定された変調技法によりインターリービング及び変調する変調部と、前記変調された信号を、前記ＴＤ技法により符号化した後、複数の伝送アンテナに信号送出を行う第２符号化部と、から構成されることを特徴とする。
【００２３】
また、前記変調部は、前記符号化された信号を、設定された変調技法によりインターリービングするチャンネルインターリービング部と、該チャンネルインターリービング部の出力信号を、設定された変調技法により星座マッピング（Ｃｏｎｓｔｅｌｌａｔｉｏｎ  Ｍａｐｐｉｎｇ）するマッピング部と、該マッピングされた信号をウォルシュコード（Ｗａｌｓｈ  ｃｏｄｅ）ブロックに変換するウォルシュ変調部と、前記変換された信号をスクランブルするスクランブル部と、から構成されることを特徴とする。
【００２４】
また、前記受信部は、受信アンテナに収集されたダイバーシティ信号を、ＴＤ技法により復号化し、チャンネル補償を行う第１復号化部と、該第１復号化部の出力信号を復調する復調部と、該復調された信号をマップ復号化して元の情報ビットを復元する第２復号化部と、から構成されることを特徴とする。
【００２５】
また、前記復調部は、前記第１復号化部の出力信号をデスクランブルするデスクランブル部と、該デスクランブルされた信号を復調するウォルシュ復調部と、該復調された信号があるシンボル領域のものであるかを判定するソフト決定部と、該ソフト決定部の出力信号をディインターリービングするチャンネルディインターリービング部と、から構成されることを特徴とする。
【００２６】
また、前記ＭＣＳ設定部は、前記第１復号化部により感知された受信チャンネルの状態を周期的にチェックするチャンネル情報抽出部と、該チェックされたチャンネルの状態に基づいて、最適のＭＣＳレベルを設定する選択部と、から構成されることを特徴とする。
【００２７】
そして、本発明に係る無線通信方法においては、受信チャンネルの状態を周期的にチェックして最適のＭＣＳレベルを設定する過程と、該設定されたＭＣＳレベルの符号化技法及び変調技法により情報ビットを処理し、該処理された信号を既設定されたＴＤ技法により伝送する過程と、を順次行うことを特徴とする。
【００２８】
また、本発明に係る無線通信方法においては、送信者側により設定されたＭＳＣ及びＴＤ技法により、受信された信号を処理して元の情報ビットを復元する過程が更に包含されることを特徴とする。
【００２９】
また、前記信号伝送過程は、前記設定されたＭＣＳレベルの符号化技法により、情報ビットを符号化する過程と、前記符号化された信号を、設定されたＭＣＳレベルの変調技法によりインターリービング及び変調する過程と、前記変調された信号を、既設定されたＴＤ技法により符号化した後、複数の伝送アンテナに信号送出を行う過程と、を順次行うことを特徴とする。
【００３０】
また、前記信号復元過程は、受信アンテナに収集されたダイバーシティ信号を、送信者側により設定されたＴＤ技法により復号化し、チャンネル補償を行う過程と、該補償された信号を復調する過程と、該復調された信号をマップ復号化して元の情報ビットを復元する過程と、を順次行うことを特徴とする。
【００３１】
本発明により、送信者側により設定されたＭＣＳ（Ｍｏｄｕｌａｔｉｏｎ  ａｎｄ  Ｃｏｄｉｎｇ  Ｓｃｈｅｍｅ）及びＴＤ（Ｔｒａｎｓｍｉｔ  Ｄｉｖｅｒｓｉｔｙ）技法により、受信された信号を処理して元の情報ビットを復元する受信部と、該受信部の受信チャンネルを周期的にチェックして最適のＭＣＳレベルを設定するＭＣＳ設定部と、該設定されたＭＣＳレベルの符号化技法及び変調技法により情報ビットを処理し、ＴＤ伝送を行う送信部と、を包含して構成されることを特徴とする無線送受信システムが提供され、それにより、上記目的を達成する。
【００３２】
前記送信部は、情報ビットを、設定された符号化技法により符号化する第１符号化部と、前記符号化された信号を、設定された変調技法によりインターリービング及び変調する変調部と、前記変調された信号を、前記ＴＤ技法により符号化した後、複数の伝送アンテナに信号送出を行う第２符号化部と、から構成されることを特徴としてもよい。
【００３３】
前記変調部は、前記符号化された信号を、設定された変調技法によりインターリービングするチャンネルインターリービング部と、該チャンネルインターリービング部の出力信号を、設定された変調技法により星座マッピング（Ｃｏｎｓｔｅｌｌａｔｉｏｎ  Ｍａｐｐｉｎｇ）するマッピング部と、該マッピングされた信号をウォルシュコード（Ｗａｌｓｈ  ｃｏｄｅ）ブロックに変換するウォルシュ変調部と、前記変換された信号をスクランブルするスクランブル部と、から構成されることを特徴としてもよい。
【００３４】
前記ＴＤ伝送は、ＳＴＴＤ（Ｓｐａｃｅ  Ｔｉｍｅ  Ｔｒａｎｓｍｉｔ  Ｄｉｖｅｒｓｉｔｙ）技法の伝送であることを特徴としてもよい。
【００３５】
前記ＭＣＳ設定部は、全ての受信チャンネルに対し、最適のＭＣＳを設定することを特徴としてもよい。
【００３６】
前記ＴＤ伝送は、ＳＴＤ（Ｓｅｌｅｃｔｉｎｇ  Ｔｒａｎｓｍｉｔ  Ｄｉｖｅｒｓｉｔｙ）技法の伝送であることを特徴としてもよい。
【００３７】
前記受信部は、受信アンテナに収集されたダイバーシティ信号を、ＴＤ技法により復号化し、チャンネル補償を行う第１復号化部と、該第１復号化部の出力信号を復調する復調部と、該復調された信号をマップ復号化して元の情報ビットを復元する第２復号化部と、から構成されることを特徴としてもよい。
【００３８】
前記復調部は、前記第１復号化部の出力信号をデスクランブルするデスクランブル部と、該デスクランブルされた信号を復調するウォルシュ復調部と、該復調された信号があるシンボル領域のものであるかを判定するソフト決定部と、該ソフト決定部の出力信号をディインターリービングするチャンネルディインターリービング部と、から構成されることを特徴としてもよい。
【００３９】
前記復調部は、送信者側の変調部に対応して動作されることを特徴としてもよい。
【００４０】
前記第２復号化部は、送信者側の第１符号化部に対応して動作されることを特徴としてもよい。
【００４１】
前記ＭＣＳ設定部は、前記第１復号化部により感知された受信チャンネルの状態を周期的にチェックするチャンネル情報抽出部と、該チェックされたチャンネルの状態に基づいて、最適のＭＣＳレベルを設定する選択部と、から構成されることを特徴としてもよい。
【００４２】
前記選択部は、設定されたＭＣＳレベルに係る情報を、前記第１符号化部及び変調部にそれぞれ提供することを特徴としてもよい。
【００４３】
本発明により、受信チャンネルの状態を周期的にチェックして最適のＭＣＳレベルを設定する過程と、該設定されたＭＣＳレベルの符号化技法及び変調技法により情報ビットを処理し、該処理された信号を既設定されたＴＤ技法により伝送する過程と、を順次行うことを特徴とする無線通信方法が提供され、それにより、上記目的を達成する。
【００４４】
送信者側により設定されたＭＳＣ及びＴＤ技法により、受信された信号を処理して元の情報ビットを復元する過程が更に包含されることを特徴としてもよい。
【００４５】
前記信号伝送過程は、前記設定されたＭＣＳレベルの符号化技法により、情報ビットを符号化する過程と、前記符号化された信号を、設定されたＭＣＳレベルの変調技法によりインターリービング及び変調する過程と、前記変調された信号を、既設定されたＴＤ技法により符号化した後、複数の伝送アンテナに信号送出を行う過程と、を順次行うことを特徴としてもよい。
【００４６】
前記変調過程は、前記符号化された信号を、設定されたＭＣＳレベルの変調技法によりインターリービングする過程と、前記インターリービングされた信号を、設定されたＭＣＳレベルの変調技法により星座マッピングする過程と、該マッピングされた信号をウォルシュコードブロックに変換する過程と、該変換された信号をスクランブルする過程と、を順次行うことを特徴としてもよい。
【００４７】
前記ＴＤ技法は、ＳＴＴＤ（Ｓｐａｃｅ  Ｔｉｍｅ  Ｔｒａｎｓｍｉｔ  Ｄｉｖｅｒｓｉｔｙ）技法であることを特徴としてもよい。
【００４８】
前記ＴＤ技法は、ＳＴＤ（Ｓｅｌｅｃｔｉｎｇ  Ｔｒａｎｓｍｉｔ  Ｄｉｖｅｒｓｉｔｙ）技法であることを特徴としてもよい。
【００４９】
前記信号復元過程は、受信アンテナに収集されたダイバーシティ信号を、送信者側により設定されたＴＤ技法により復号化し、チャンネル補償を行う過程と、該補償された信号を復調する過程と、該復調された信号をマップ復号化して元の情報ビットを復元する過程と、を順次行うことを特徴としてもよい。
【００５０】
前記復調過程は、前記補償された信号をデスクランブルする過程と、該デスクランブルされた信号をウォルシュ復調する過程と、該復調された信号があるシンボル領域のものであるかを判定する過程と、該判定された信号をディインターリービングする過程と、を順次行うことを特徴としてもよい。
【００５１】
前記復調過程は、送信者側により設定された変調技法に対応して行われることを特徴としてもよい。
【００５２】
前記マップ復号化は、送信者側により設定された符号化技法に対応して行われることを特徴としてもよい。
【発明の効果】
【００５３】
本発明に係る無線送受信システムは、ＡＭＣ技法とＴＤ技法とを組み合わせることで、周期的にチャンネル状態を測定し、該測定されたチャンネル状態に最適の符号化技法及び変調技法をシステムに適用するため、受信信号の質的信頼性を大いに向上し得るという効果がある。
【００５４】
また、フェーディングを発生する多経路のチャンネル環境で、高度の伝送率を期待し得るという効果がある。
【発明を実施するための最良の形態】
【００５５】
以下、本発明の実施の形態に対し、図面に基づいて説明する。
【００５６】
図１は、本発明に係る無線送受信システムの構成を示したブロック図、図２は、図１の変調部１１０の詳細構成図、図３は、図１の復調部１４０の詳細構成図で、図示されたように、本発明に係る無線送受信システムにおいては、送信者側により設定されたＭＣＳ及びＴＤ技法により、受信された信号を処理して元の情報ビットを復元する受信部１９０と、該受信部１９０の受信チャンネルを周期的にチェックして最適のＭＣＳレベルを設定するＭＣＳ設定部２００と、該設定されたＭＣＳレベルの符号化技法及び変調技法により情報ビットを処理し、ＴＤ伝送を行う送信部１８０と、を包含して構成されている。
【００５７】
また、前記受信部１９０は、受信アンテナＲｘ  Ａｎｔに収集されたダイバーシティ信号を、所定のＴＤ技法（ＳＴＴＤまたはＳＴＤ）により復号化し、チャンネル補償を行うＴＤ−復号化部１３０と、該ＴＤ−復号化部１３０の出力信号を復調する復調部１４０と、該復調された信号をマップ復号化して情報ビットを復元するマップ復号化部１５０と、から構成される。
【００５８】
また、前記復調部１４０は、図３に示したように、前記ＴＤ−復号化部１３０の出力信号をスクランブルされる前の信号に復元するデスクランブル部１４１と、該デスクランブルされた信号を復調するウォルシュ復調部１４２と、該ウォルシュ復調部１４２の出力信号があるシンボル領域のものであるかを決定するソフト決定部１４３と、該ソフト決定部１４３の出力信号をインターリービングされる前の信号に復元するチャンネルディインターリービング部１４４と、から構成される。
【００５９】
また、前記ＭＣＳ設定部２００は、前記ＴＤ−復号化部１３０により感知された受信チャンネルの状態を周期的にチェックするチャンネル情報抽出部１６０と、該チャンネル情報抽出部１６０によりチェックされた受信チャンネルの状態に基づいて、最適のＭＣＳレベルを選択するＭＣＳレベル選択部１７０と、から構成される。
【００６０】
また、前記送信部１８０は、前記設定されたＭＣＳレベルの符号化技法により、情報ビットを符号化するターボ符号化部１００と、該ターボ符号化部１００の出力信号を、設定されたＭＣＳレベルの変調技法によりインターリービング及び変調する変調部１１０と、該変調部１１０の出力信号を、ＴＤ技法により符号化した後、複数の伝送アンテナＴｘＡｎｔ１〜ＴｘＡｎｔＮに信号送出を行うＴＤ−符号化部１２０と、から構成される。
【００６１】
また、前記変調部１１０は、図２に示したように、実際のチャンネル環境を考慮して設定されたＭＣＳレベルの変調技法により、符号化された信号（ターボ符号化部１００の出力信号）に対してインターリービングを行うチャンネルインターリービング部１１１と、該チャンネルインターリービング部１１１の出力信号を、設定されたＭＳＣレベルの変調技法により星座マッピングする星座マッピング部１１２と、該星座マッピング部１１２の出力信号を、ウォルシュコードブロックに変換するウォルシュ変調部１１３と、該変換された信号をスクランブルするスクランブル部１１４と、から構成される。
【００６２】
このように構成された本発明に係る無線送受信システムの動作及び作用を説明すると次のようである。
【００６３】
図２は、本発明に係る変調部１１０の構成及びＭＣＳレベル選択部１７０との相互作用を示したブロック図で、図１及び２に示したように、受信アンテナＲｘ  Ａｎｔにダイバーシティ信号が受信されると、ＴＤ−復号化部１３０は、ＴＤ技法（ＳＴＴＤまたはＳＴＤ）により前記受信された信号を復号化し、チャンネル補償を行って復調部１４０に伝送する。次いで、該復調部１４０は、前記伝送されたＴＤ−復号化部１３０の信号に対し、送信者側の変調技法に対応するデスクランブル及びウォルシュ復調を行い、該ウォルシュ復調された信号が何れのシンボル領域であるかを決定する。次いで、送信者側のチャンネルインターリービングに対応するチャンネルディインターリービングを行って、インターリービング以前の信号に復元する。
【００６４】
その後、マップ復号化部１５０が前記復調部１４０の出力信号をマップ復号化することで、送信者側の各情報ビットは全て復元される。
【００６５】
一方、ＭＣＳ設定部２００のチャンネル情報抽出部１６０は、ＴＤ復号化部１３０をモニターして、受信チャンネルの状態を周期的にチェックし、該チェックされた受信チャンネルの状態をＭＣＳレベル選択部１７０に報告する。次いで、該ＭＣＳレベル選択部１７０は、前記報告されたチャンネル状態情報に基づいて、最適のＭＣＳレベルを設定し、該設定されたＭＣＳレベルの情報を送信部１８０のターボ符号化部１００及び変調部１１０に提供する。このとき、前記ＴＤ−復号化部１３０が行うＴＤ技法がＳＴＴＤの場合、全ての受信チャンネルに対しＭＣＳレベルが設定される。
【００６６】
次いで、前記ＭＣＳレベル選択部１７０のＭＣＳレベルの設定情報が送信部１８０に提供されると、該送信部１８０のターボ符号化部１００は、設定されたＭＣＳレベルの符号化技法により情報ビットを符号化して変調部１１０に出力し、該変調部１１０は、前記符号化された信号（前記ターボ符号化部１００の出力信号）を、設定されたＭＣＳレベルの変調技法によりインターリービング及び星座マッピングした後、ウォルシュコードブロックに変調する。次いで、前記変調部１１０は、前記変調された信号に対しスクランブルを行った後、ＴＤ−符号化部１２０に出力する。
【００６７】
次いで、前記ＴＤ−符号化部１２０は、前記変調部１１０の出力信号を、既設定されたＴＤ技法（ＳＴＴＤまたはＳＴＤ）により符号化した後、複数の伝送アンテナＴｘＡｎｔ１〜ＴｘＡｎｔＮに送出するが、このとき、前記ＴＤ−符号化部１２０は、ＴＤ技法により相異に動作される。即ち、前記ＴＤ技法がＳＴＴＤであると、前記ＴＤ−符号化部１２０は、ＳＴＴＤ復号器を更に付加して複数のアンテナに信号を伝送し、既設定されたＴＤ技法がＳＴＤであると、前記ＴＤ−符号化部１２０は、複数のアンテナ中チャンネル環境の良い一つのアンテナを選択して、該選択されたアンテナに信号を伝送する。
【００６８】
以上説明したように、本発明に係る無線送受信システムは、ＡＭＣ技法とＴＤ技法とを組み合わせることで、周期的にチャンネル状態を測定し、該測定されたチャンネル状態に最適の符号化技法及び変調技法をシステムに適用するため、受信信号の質的信頼性を大いに向上し得るという効果がある。
【００６９】
また、フェーディングを発生する多経路のチャンネル環境で、高度の伝送率を期待し得るという効果がある。
【００７０】
本発明は、適応変調符号化（Ａｄａｐｔｉｖｅ  Ｍｏｄｕｌａｔｉｏｎ  ａｎｄ  Ｃｏｄｉｎｇ；ＡＭＣ）と、伝送ダイバーシティ（Ｔｒａｎｓｍｉｔ  Ｄｉｖｅｒｓｉｔｙ；ＴＤ）とを組み合わせた無線送受信システムを提供しようとする。
【００７１】
送信者側により設定されたＭＣＳ（Ｍｏｄｕｌａｔｉｏｎ  ａｎｄ  Ｃｏｄｉｎｇ  Ｓｃｈｅｍｅ）及びＴＤ（Ｔｒａｎｓｍｉｔ  Ｄｉｖｅｒｓｉｔｙ）技法により、受信された信号を処理して元の情報ビットを復元する受信部１９０と、該受信部１９０の受信チャンネルを周期的にチェックして最適のＭＣＳレベルを設定するＭＣＳ設定部２００と、該設定されたＭＣＳレベルの符号化技法及び変調技法により情報ビットを処理し、ＴＤ伝送を行う送信部１８０と、を包含して無線送受信システムを構成する。
【００７２】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【図面の簡単な説明】
【００７３】
【図１】本発明に係る無線送受信システムの構成を示したブロック図である。
【図２】本発明に係る変調部の構成を示したブロック図である。
【図３】本発明に係る復調部の構成を示したブロック図である。
【図４】従来の無線送受信システムの構成を示した概略ブロック図である。
【符号の説明】
【００７４】
１０：符号化部
６０：復号化部
１００：ターボ符号化部
２０、１１０：変調部
３０、１２０：ＴＤ−符号化部
４０、１３０：ＴＤ−復号化部
５０、１４０：復調部
１５０：マップ復号化部
１６０：チャンネル情報抽出部
１７０：ＭＣＳレベル選択部
１８０：送信部
１９０：受信部
２００：ＭＳＣ設定部
１１１：チャンネルインターリービング部
１１２：星座マッピング部
１１３：ウォルシュ変調部
１１４：スクランブル部
１４１：デスクランブル部
１４２：ウォルシュ復調部
１４３：ソフト決定部
１４４：チャンネルディインターリービング部
【図１】
2004248275.tif 000004
【図２】
2004248275.tif 000005
【図３】
2004248275.tif 000006
【図４】
2004248275.tif 000007